(57)【要約】本発明は、（ａ）ラジカル捕捉用酸化防止剤と過酸化水素とを含む液体洗浄組成物で硬質表面を処理する段階と、（ｂ）脂肪質汚れの付着を放置する段階と、（ｃ）脂肪質汚れを除去するために表面を洗浄する段階とを順次に含む硬質表面から脂肪質汚れを除去する方法を提供する。本発明はまた、天然ラジカル捕捉用酸化防止剤と過酸化水素と好ましくは界面活性剤とを含む硬質表面用液体洗浄組成物を提供する。【特許請求の範囲】
【請求項１】
（ａ）ラジカル捕捉用酸化防止剤と過酸化水素とを含む液体洗浄組成物で硬質表面を処理する段階と、
（ｂ）脂肪質汚れの付着を放置する段階と、
（ｃ）脂肪質汚れを除去するために表面を洗浄する段階と、
を順次に含む硬質表面から脂肪質汚れを除去する方法。
【請求項２】
ラジカル捕捉用酸化防止剤と過酸化水素とを含む液体洗浄組成物を段階（ｃ）においても使用する請求項１に記載の方法。
【請求項３】
酸化防止剤が天然の酸化防止剤である請求項１に記載の方法。
【請求項４】
液体洗浄組成物が０．０５−１０重量％の酸化防止剤を含む請求項１から３のいずれか一項に記載の方法。
【請求項５】
液体洗浄組成物が０．１−１０重量％の過酸化水素を含む請求項１から４のいずれか一項に記載の方法。
【請求項６】
洗浄組成物が界面活性剤を含む請求項１から５のいずれか一項に記載の方法。
【請求項７】
酸化防止剤がタンニン酸及びトコフェロールから選択される請求項１から６のいずれか一項に記載の方法。
【請求項８】
天然のラジカル捕捉用酸化防止剤と過酸化水素とを含む液体洗浄組成物。
【請求項９】
更に界面活性剤を含む請求項８に記載の液体洗浄組成物。
【請求項１０】
過酸化水素の量が０．１−１０重量％である請求項８または９に記載の液体洗浄組成物。
【請求項１１】
酸化防止剤の量が０．０５−１０重量％である請求項８から１０のいずれか一項に記載の液体洗浄組成物。
【請求項１２】
酸化防止剤の量が０．１−０．５重量％である請求項１１に記載の液体洗浄組成物。
【請求項１３】
酸化防止剤が、１，２−ジヒドロキシベンゼンまたは１，４−ジヒドロキシベンゼンの下部構造を含有する化合物である請求項８から１２のいずれか一項に記載の液体洗浄組成物。
【請求項１４】
酸化防止剤がタンニン酸及びトコフェロールから選択される請求項８から１３のいずれか一項に記載の液体洗浄組成物。
【請求項１５】
ｐＨが１．５−７である請求項８から１４のいずれか一項に記載の液体洗浄組成物。
【請求項１６】
硬質表面からの脂肪質汚れの除去を促進するための液体洗浄組成物中のラジカル捕捉用酸化防止剤と過酸化水素との使用。
【請求項１７】
洗浄組成物中に酸化防止剤が０．０５−１０重量％の量で存在し、過酸化水素が０．１−１０重量％の量で存在する請求項１６に記載の使用。
【請求項１８】
酸化防止剤が天然の酸化防止剤である請求項１６または１７に記載の使用。
【請求項１９】
酸化防止剤が、１，２−ジヒドロキシベンゼンまたは１，４−ジヒドロキシベンゼンの下部構造を含有する化合物である請求項１８に記載の使用。
【請求項２０】
酸化防止剤がタンニン酸及びトコフェロールから選択される請求項１９に記載の使用。
【請求項２１】
洗浄組成物のｐＨが１．５−７である請求項１６から２０のいずれか一項に記載の使用。
【発明の詳細な説明】
【技術分野】
【０００１】
本発明は、酸化防止剤と過酸化物とを含む液体洗浄組成物、及び、これらの組成物を使用する硬質表面の洗浄方法に関する。
【背景技術】
【０００２】
家庭用器具の表面の洗浄には、脂肪質／油性／油脂性の汚れ及び／または付着固体屑もしくは有色物のような目に見える汚染の除去を促進する１種または複数の成分を含有している組成物を使用するのが普通である。このような組成物を、そのまま薄めないでまたは希釈溶液として、トリガスプレーディスペンサーまたは別のエアロゾルアプリケーターから分注または噴霧によって塗布し、クロスまたはその他の拭取り用品によって磨き、場合によってはその後にすすぎ落とす。
【０００３】
日本特許公開ＪＰ−Ａ−０７／２２８，８９２は、アニオン性及び両性の界面活性剤と、一価または多価のアルコールと、０．１−７重量％の茶の葉エキスとを含む硬質表面洗浄組成物を開示している。タンニンは茶の成分として公知であるが、タンニン酸（酸化防止剤）はこのようなエキス中に極めて少量しか存在しない。タンニンは一般に洗浄、特に油性汚れの洗浄には逆効果を与えると言われている。
【０００４】
硬質表面の洗浄用及び／または消毒用の製品に茶の葉またはその他の植物の葉のエキスを使用することは他にも、日本特許公開ＪＰ−Ａ−０７／２２８，８９０及び’’８９１、ＪＰ−Ａ−０８／１０４，８９３、ＪＰ−Ａ−１０／２７３，６９８、ＪＰ−Ａ−１１／１００，５９６、ＪＰ−Ａ−０６／３４０，８９７、ＪＰ−Ａ−６３／１９６，６９３、ＪＰ−Ａ−６２／１６７，４００、ＪＰ−Ａ−５９／０４７，３００及び米国特許ＵＳ４，２２０，６７６などに開示されている。但し、最後の２つの特許に開示された製品は界面活性剤を含有しない。
【０００５】
米国特許ＵＳ５，９６５，５１４は、アミンオキシド界面活性剤と第四級消毒剤と窒素含有キレート化剤とを含有している弱酸性の硬質表面洗浄組成物を開示している。アスコルビン酸は酸性度を与えることが可能な多くの酸の１つであると記載されているが好ましい酸には含まれていない。タンニン酸は表面張力低下剤として場合によっては使用することが可能な多くの酸の１つであると記載されている。
【０００６】
ガラス防曇剤は日本特許公開ＪＰ−Ａ−４９／１１３，８１１に記載されている。これは、３重量％のジアルキルスルホスクシネートアニオン性界面活性剤と、４重量％の高級第二級アルコキシエチルスルフェートアニオン性界面活性剤と、１重量％のタンニン酸と、１０重量％のプロピレングリコールと、５重量％のイソプロピルアルコールと、７７重量％の水とを含む。
【０００７】
米国特許ＵＳ５，６０２，０９０は、リモネンのような容易に酸化し得るテルペンと過酸化水素とを含有している洗浄組成物を開示している。実施例の配合物は０．０２％のブチル化ヒドロキシアニソールを酸化防止剤として含有している。
【０００８】
欧州特許ＥＰ２０９２２８、国際特許ＷＯ９７／０２３３１、欧州特許ＥＰ８４４３０２、ＥＰ１０６９１７８は、界面活性剤と、過酸化水素のような過酸化物漂白剤と、種々のラジカル捕捉剤とを含む布漂白用組成物を開示している。プロピルガレート、ブチル−ヒドロキシアニソール及び部分的に束縛された置換ヒドロキシベンゼンが記載されている。アスコルビン酸及びアスコルビルエステルが追加成分として記載されている。米国特許ＵＳ６，１１０，８８３は、８よりも高いｐＨを有している同様の組成物を開示している。
【０００９】
米国特許ＵＳ６，２９６，８８０は、種々の皮膚異常を治療するための薬用皮膚洗浄組成物を開示している。組成物は、好ましくは少なくとも１％の量のタンニン酸のような酸性化合物と、ある量の過酸化水素と、皮膚の微生物を減少させるために十分な量の抗菌剤とを含有している。組成物は更に酸化防止剤を含み得る。
【００１０】
しかしながら、酸化防止剤による表面の処理が、その後に該表面に付着した油性汚れの除去に確実な効果を有し得ることは従来技術の何処にも開示されていない。
【００１１】
欧州特許ＥＰ４４７５５３は、過酸化水素またはその前駆物質と、過酸化水素と共に過酸を生成する過酸前駆物質と、場合によっては界面活性剤とを含む硬質表面洗浄用の漂白組成物を開示した。過酸前駆物質は、アルコキシル化した脂肪族またはアリール脂肪族（ａｒａｌｉｐｈａｔｉｃ）のカルボン酸である。過酸は過酸化水素（または前駆物質）と過酸前駆物質とをｐＨ５−１３で混合することによって組成物の使用直前に生成される。従って、過酸化水素と過酸前駆物質とを別々に保存しなければならない。時期尚早な酸化を防止するために場合によっては過酸前駆物質に酸化防止剤を添加する。
【００１２】
硬質表面上の有色の汚れ及びしみを漂白するために過酸化水素を使用できることは公知であるが、過酸化水素が全般的に硬質表面からの汚れ（有色であるか無色であるかにかかわりなく）の除去を促進することが意外にも知見された。
【００１３】
また、ある種の酸化防止剤が硬質表面上に存在するとき、該酸化防止剤は後で該表面に付着した油性汚れが該表面に粘着することを防止し、従って油性汚れのその後の除去を容易にするという意外な知見も得られた。
【００１４】
もっと意外なことにはまた、過酸化水素とこれらの酸化防止剤とが１つの液体洗浄組成物中に一緒に存在するときには、過酸化水素が酸化防止剤の活性を妨害することも逆に酸化防止剤が過酸化水素の活性を妨害することもなく双方の活性が独立に維持されることが知見された。組成物は、貯蔵中に過酸化水素または酸化防止剤の活性を喪失することなく貯蔵安定である。
【００１５】
更に、消費者は洗浄組成物の成分として刺激の少ない成分を好むが、天然の成分、より特定的には天然の酸化防止剤が刺激の少ない成分であることは一般に認められている。
【発明の開示】
【００１６】
従って１つの目的によれば本発明は、
（ａ）ラジカル捕捉用酸化防止剤と過酸化水素とを含む液体洗浄組成物で硬質表面を処理する段階と、
（ｂ）脂肪質汚れの付着を放置する段階と、
（ｃ）脂肪質汚れを除去するために表面を洗浄する段階と、
を順次に含む硬質表面から脂肪質汚れを除去する方法を提供する。
【００１７】
本発明の第二の目的は、過酸化水素と天然のラジカル捕捉用酸化防止剤とを含む液体洗浄組成物を提供することである。
【００１８】
本発明の第三の目的は、硬質表面から脂肪質汚れを除去するためにラジカル捕捉用酸化防止剤と過酸化水素との併用を提案することである。
【００１９】
何らかの特定の理論または説明に拘束はされないが、ラジカル捕捉用酸化防止剤が段階（ａ）で表面に維持されることによってその効果を発揮し、その結果としてその後に段階（ｂ）で表面に付着した油脂性汚れが強固になったりまたは重合したりせず、従って段階（ｃ）における汚れ除去が容易になると考えられる。従って、本発明の第一の目的の１つの実施態様では、例えば酸化防止剤と過酸化水素とを含む溶液または液体組成物が表面で乾燥することによって段階（ａ）において酸化防止剤を含む膜が形成される。段階（ｃ）は、同じく酸化防止剤と過酸化水素とを含む硬質表面洗浄組成物を使用して行うのが有利であり、その結果として汚れが除去され同時に新しい酸化防止剤が塗布される。即ち、本発明の第一目的による第一方法の段階（ｃ）と本発明のこの目的による後続方法の段階（ａ）とが効果的に合併する。場合によっては段階（ｃ）の後で通常は水によるすすぎ段階を行ってもよい。
【００２０】
やはり何らかの理論または説明に拘束はされないが、過酸化水素が汚れ除去を促進するのは一般的に、硬質表面上の過酸化水素の分解によって極めて小さい酸素気泡が発生しこの気泡が汚れを弛緩させ表面から汚れを除去するからであると考えられる。
【００２１】
方法に使用される液体組成物中の酸化防止剤は本文中で後述するように合成または天然のいかなるラジカル捕捉用酸化防止剤でもよい。好ましくは、酸化防止剤は天然の酸化防止剤である。液体組成物は好ましくは少なくとも０．０５重量％、より好ましくは０．１−１０重量％、いっそう好ましくは少なくとも０．２重量％の酸化防止剤を含む。一般的に２％を上回る量、または１％を上回る量さえも不要であり、一般的に１％未満または多くても０．５％で十分である。また、酸化防止剤の混合物を使用してもよい。
【００２２】
方法に使用される組成物はまた、過酸化水素を、好ましくは０．１−１０％、より好ましくは少なくとも１％の量で含む。一般的に５％よりも多い量は不要であり、多すぎる量は敏感な表面を傷つけることもあり得る。
【００２３】
方法に使用される組成物が場合によっては、後述するような界面活性剤を１種または複数種含有するのが好ましい。更に、組成物が洗浄組成物に慣用のその他の任意成分を含有してもよい。
【００２４】
本文中に使用した“汚れ”という用語は、肉眼で見えるか見えないかにかかわりなく固体屑の汚れ及び／または細菌もしくはその他の病原体による汚れのような有機系または無機系のあらゆる種類の汚染または汚れを包含する。概説したように、本発明は、脂肪質汚れ、より特定的には古くなったりまたは焼き付いたりした脂肪質汚れをより容易に除去するために特に効果的である。例えば調理場の表面にしばしば見出されるこのような汚れは通常は、油／脂肪成分とデンプン質及び／またはタンパク質性の食物滓、塵埃、石灰質の水垢（ｌｉｍｅ  ｓｃａｌｅ）などのような別の汚れ成分との組合せを含む。本発明はまた、石灰質の水垢、水跡及び同様のしみの除去にも効果的である。
【００２５】
本発明はまた、洗浄中及び／または洗浄後の表面の触質性（例えば、滑らかさ）の改善、酸敗臭の抑制、洗浄前の汚れの黒ずみの抑制、表面腐食の抑制及び洗浄中の騒音の抑制のような１つまたは複数の他の利点を与え得る。
【００２６】
本発明による方法、使用、組成物及びその他の製品は、例えば調理場及び寝室にある家財の硬質表面、例えば、調理台、換気扇、作業用表面、調理器具、陶器類、タイル、床、浴槽、便器、洗面台、シャワー、皿洗い機、蛇口、流し台、並びに、ガラス表面及び琺瑯表面全般の手入れに使用し得る。これらの表面が、例えば、塗料（例えば、塗装木材またはラッカー仕上げ木材）、プラスチック、ガラス、セラミックまたは金属（例えば、ステンレススチールまたはクロム）から成っていてもよい。
【００２７】
酸化防止剤
Ｉｎｇｏｌｄ  Ｋ．Ｖ．Ａｄｖ．Ｃｈｅｍ．Ｓｅｒ．７５，２９６−３０５（１９６８）“Ｉｎｈｉｂｉｔｉｏｎ  ｏｆ  Ａｕｔｏ−ｏｘｉｄａｔｉｏｎ”に開示されているように、酸化防止剤は２つのグループ、即ち、脂質ラジカルと反応してより安定なラジカルを形成する一次的酸化防止剤即ち鎖破壊性酸化防止剤と、種々のメカニズムによる連鎖開始の速度を減速させる二次的（または予防的）酸化防止剤とに分類される。酸化防止剤はまた、合成の酸化防止剤または“天然の”、即ち、天然産物に由来の酸化防止剤に分類し得る。
【００２８】
本発明の方法、使用、加工品及び組成物に使用し得る酸化防止剤のクラス、サブクラス及び特定例を以下に示す。本文中に使用した単数形の“酸化防止剤”という用語は１種類の酸化防止剤及び２種以上の酸化防止剤の併用を意味する。
【００２９】
Ａ．合成酸化防止剤
一般に、一次的酸化防止剤は更に鎖破壊アクセプターと鎖破壊ドナーとに細分される。
【００３０】
鎖破壊アクセプター（ときには“予防的酸化防止剤”と呼ばれる）はヒドロペルオキシドを（非ラジカルの）安定な最終生成物に分解することによって酸化速度を減速させる。
【００３１】
“水素供与性酸化防止剤またはラジカル捕捉剤”とも呼ばれる鎖破壊ドナーはペルオキシラジカルに対して有機物と競合することによって機能する。
【００３２】
Ｂ．天然酸化防止剤
天然の抗酸化性化合物が特に好ましい。天然成分は多くの消費者に極めて好評である。調理中の食物に接触する可能性のある表面に安全に使用できると考えられる酸化防止剤が特に好ましい。
【００３３】
抗酸化活性を示す種々の天然材料資源が報告されており、例えば、香草、香辛料、穀物、コーヒーとコーヒー豆、油と種子、茶の葉及びタンパク質加水分解物がある。抗酸化活性を示す成分としてエキスから単離された活性化合物としては、化学的クラスの化合物、例えば、トコフェロール、フラボノイド、リン脂質、有機酸とそれらの誘導体、タンニン、メラノイジン、テルペノイド、ステロール、メイラード反応生成物及びアミノ酸がある。酸化防止剤はその構造次第で水溶性または油溶性である。双方の種類が本発明に有用である。
【００３４】
カルノソール、カルノシン酸、ロスマノール、ロスマリン酸、ロスマリキノン及びロスマリジフェノールは抗酸化活性を示すローズマリーの葉の有効成分として知られている。更に、２種類の主要なフェノール系抗酸化成分、没食子酸及びオイゲノールはクローブに由来する。セージ、マジョラム、オルガノ及びタイムのような香草及び香辛料のエキスから単離された多くの成分のうちの幾つかは潜在的な抗酸化性を有することが知られている。その他の天然酸化防止剤としては、β−カロテン、カフェー酸、キニン酸及びフェルラ酸並びにカフェー酸とステロール（シトステロール、カンペステロール、グラミステロール及びシクロアルテノール）とのエステルがある。ステロール及びカフェー酸のトリテルペンアルコールエステルは適当でない。潜在的抗酸化活性を示すことが知られているこのような化合物の別の例はシンナミン酸、シナピン酸、バニリン酸、シリンギン酸及びクマリン酸である。
【００３５】
カルダノールはフェノール環にメタ（３−）１５−炭素鎖をもつモノヒドロキシルフェノールの混合物である。これは、カシューナッツ殻の液体から蒸留物として単離される。アナカルジン酸（３−ｎ−ペンタデシルサリチル酸）が主成分（８０−８５％）であり、カルダノール（３−ｎ−ペンタデシル−フェノール）及びカルドール（３−ｎ−ペンタデシル−レゾルシノール）及びメチルカルダノール（２−メチル−５−ｎ−ペンタデシル−レゾルシノール）が少量ずつ存在している。カルドール及びカルダノールは市販されている。オリザノールは、高分子量及び低揮発度を有しているフェルラ酸（４−ヒドロキシ−３−メトキシシンナミン酸）と反応したエステル化ステロールのグループを意味する。セサモール、セサミノール及びセサモリノ化合物はゴマ油の成分であり抗酸化性を有している。セサモールは容易に酸化してセサモールダイマーとなり、更に酸化するとセサモールキノンダイマーとなる。
【００３６】
トコフェロールは強力な抗酸化活性を示す。ある種の条件下でトコフェロールは油中でより高い分子量の材料、例えば、ダイマー、トライマー、などを形成し得る。トコトリエノールは近縁クラスの化合物であり、構造的な違いは、飽和フィチル鎖の代わりに不飽和側鎖を有していることである。トコトリエノールの抗酸化活性はトコフェロールが示す抗酸化活性よりも弱い。
【００３７】
フラボノイドのクラスは、フラボノール、フラボン、イソフラボン、アントシアニン、カテキン、プロアントシアニジン及びアウロンなどを主な構成員とするサブグループに分類される。近縁化合物にはシンナミン酸及びフェルラ酸とそれらのエステルがある。これらのあるものはフラボノイドの前駆物質である。茶の葉は廉価で入手容易な豊富なフラボノイド（主としてカテキン）資源である。フラボノイドは酸化されると、それ自体が抗酸化活性を示す複合ポリフェノール構造と共にポリマーを形成する。没食子酸エピガロカテキンはアスコルビン酸、トコフェロール、クエン酸及び酒石酸と共に茶の葉から協同抽出され得る。
【００３８】
ルチン及びクロロゲン酸もまた抗酸化活性を示し、芳香族官能基に結合した糖部分を有している。この種の化合物は水相と有機（脂質）相との間で分配できるので特に重要である。
【００３９】
別のグループの天然酸化防止剤はタンニン、タンニン酸及び近縁化合物である。これは植物由来のポリフェノール化合物の大グループである。タンニンの特徴はタンパク質を沈殿させる能力を有していることである。
【００４０】
酸化防止剤の構造
本発明の目的に適う好ましい酸化防止剤は、１，２−ジヒドロキシベンゼンもしくは１，４−ジヒドロキシベンゼンの下部構造または１つのＯＨのＨが有機基で置換されたその誘導体を含有する天然の酸化防止剤である。有機基は−Ｒまたは−ＣＯＲでよく、このＲは好ましくは（置換）アルキル基、アルケニル基、炭素環基または複素環基である。
【００４１】
１，２−ジヒドロキシベンゼン（誘導体）の下部構造を有している化合物の適例は、カフェー酸、フェルラ酸、ロスマリン酸及びバニリン酸とそれらのアミド、エステル、塩及び同様の誘導体、並びに、セサモール及びその誘導体である。１，４−ジヒドロキシベンゼン誘導体の下部構造を有している化合物の適例は、トコフェロール及びトコトリエノールであり、該化合物中でベンゼン環の一部とフェノール酸素の１つとが一緒に縮合複素環の一部を形成している。
【００４２】
１，２−ジヒドロキシベンゼンの下部構造を有している化合物の極めて有用な特定のサブクラスは、３，４，５−トリヒドロキシベンゾイル構造またはその置換誘導体を有している化合物から形成される。即ち、没食子酸及びその天然誘導体が適当である。タンニン酸及びタンニンが特に適当である。タンニン酸及びタンニンは複数の３，４，５−トリヒドロキシベンゾイル構造単位を含有し、１つの構造単位のベンゾイル基が次の構造単位のフェノール酸素と共にエステル結合を形成している。
【００４３】
タンニン酸は本発明の目的に最も好ましい酸化防止剤である。タンニン酸はときには、ガロタンニン酸またはペンタ−（ｍ−ジガロイル）−グルコース（Ｃ７６Ｈ５２Ｏ４６）と呼ばれる。しかしながら、市販のタンニン酸は通常は植物または没食子、樹皮及びその他の植物部分から得られる。本文中で使用した“タンニン酸”という用語はこのような材料をすべて包含すると理解されたい。既述のように、茶のタンニン含有エキス（例えば日本特許公開ＪＰ−Ａ−０７／２２８，８９２の組成物で使用されたようなエキス）はタンニン酸含量が極めて低い。
【００４４】
酸化防止剤の別の好ましいグループはトコフェロール、特にδ−トコフェロールである。
【００４５】
液体組成物
組成物は薄めない形態または希釈した形態で表面に塗布し得る。適当な液体組成物は、溶媒中の抗酸化性材料の溶液、分散液またはエマルジョンである。溶媒は好ましくは水であるかまたは有機溶媒と水との混合物である。
【００４６】
好ましい組成物は中性または弱酸性のｐＨ、即ち、７以下、好ましくは６以下、特に５．５以下または４．５かそれよりも低いｐＨを有している。しかしながら、酸感受性表面が損傷されることを避けるためには組成物が過度に酸性でないのが好ましい。好ましくはｐＨか少なくとも１．５または２であり、より好ましくは少なくとも２．５である。最も好ましくはｐＨが３−４．５の範囲である。
【００４７】
液体組成物は、薄いまたは粘性の液体またはゲルの形態でもよく、フォーム、ムースまたはペーストの形態でもよい。液体は、粘性であるかまたは２１ｓ−１の剪断速度（ブルックフィールド粘度計、２０℃）で測定して少なくとも１００ｍＰａｓ、好ましくは少なくとも１５０または２００ｍＰａｓの粘度を有しているが、好ましくは５，０００ｍＰａｓ以下、より好ましくは２，０００ｍＰａｓ以下の粘度を有しているゲル様液体であれば特に好ましい。剪断減粘性の液体またはゲルは硬質表面洗浄中の酸化防止剤の心地よい官能効果を増進し、特に消費者に好評であり、従って本発明の好ましい実施態様である。粘度は、１種または複数の界面活性剤と水と（通常は）電解質とを使用する“内部構造化系”によってもたらされ、組成物内部に秩序相または液晶相が生じるであろう。代替的にまたは付加的に、増粘性ポリマーを添加してもよい。多数のこのようなポリマーが当業界で公知であり、例えば、ポリ（メタ）アクリレート、ポリマレイン酸のようなポリカルボキシレート型ポリマー、（メタ）アクリル酸及び／または無水マレイン酸と種々の別のビニルモノマーとのコポリマー、または、セルロース誘導体のような多糖類、または、植物性もしくは微生物性ガム、例えばキサンタンガム、グアーガムなどが挙げられる。勿論、増粘性ポリマーは過酸化水素の存在下で安定でなければならない。
【００４８】
フォーム及びムースは通常はディペンサーから供給される。ディペンサーは製品にガスまたは空気を混ぜ込んで分注する。
【００４９】
好ましい組成物は低発泡性である。または、組成物が発泡性であるかもしくはフォームとして使用されるときは泡が容易に崩壊し、泡を除去するために後で表面を再度すすいだり拭き取ったりする必要のないものが好ましい。そうすれば最大量の酸化防止剤が表面に残留する。
【００５０】
界面活性剤：
本発明の（または本発明に使用される）組成物は、洗浄用界面活性剤を含み得る。これらは一般に、アニオン性、非イオン性、両性、双イオン性またはカチオン性の界面活性剤から選択される。組成物は一般に少なくとも０．０５重量％、好ましくは少なくとも０．１、０．２、０．５または１重量％であるが４５重量％以下、通常は２５、１５または１０重量％以下の総量の界面活性剤を含む。好ましくは組成物が少なくとも１種類のアニオン性及び／または非イオン性界面活性剤、より好ましくは少なくとも１種類の非イオン性界面活性剤を含む。
【００５１】
適当な合成（ノンソープ）アニオン性界面活性剤は、分子構造中に８−２２個の炭素原子を含むアルキル基を有している有機硫酸エステル及びスルホン酸の水溶性塩である。
【００５２】
このようなアニオン性界面活性剤の例は、以下のような化合物の水溶性塩である：
−（第一級）長鎖（例えば、炭素原子数８−２２）アルコールスルフェート（本文中で以後ＰＡＳと呼ぶ）、特に、牛脂またはココヤシ油のグリセリドの還元によって得られた脂肪アルコールの硫酸化によって得られたもの；
−アルキルベンゼンスルホネート、例えば、アルキル基が６−２０個の炭素原子を含有しているもの；
−第二級アルカンスルホネート。
【００５３】
以下の化合物の塩も適当である：
−アルキルグリセリルエーテルスルフェート、特に、牛脂及びココヤシ油に由来の脂肪アルコールから得られたこのようなエーテル；
−脂肪酸モノグリセリドスルフェート；
−１モルの脂肪アルコールと１−６モルのエチレンオキシドとの反応生成物のスルフェート；
−１分子あたり１−８個のエチレンオキシ単位を有しておりアルキル基が４−１４個の炭素原子を含んでいるアルキルフェノールエチレンオキシ−エーテルスルフェートの塩；
−イセチオン酸でエステル化しアルカリで中和した脂肪酸の反応生成物；
及びそれらの混合物。
【００５４】
好ましい水溶性合成アニオン性界面活性剤は、アルキル−ベンゼンスルホネート及びオレフィンスルホネートとの混合物、及び、アルキルスルフェート、及び、脂肪酸モノ−グリセリドスルフェートのアルカリ金属（例えば、ナトリウム及びカリウム）塩及びアルカリ土類金属（例えば、カルシウム及びマグネシウム）塩である。最も好ましいアニオン性界面活性剤は、直鎖または分枝鎖のアルキル基に６−２０個の炭素原子を含んでいるアルキルベンゼンスルホネートのようなアルキル−芳香族スルホネートであり、その特定例は、アルキルベンゼンスルホン酸ナトリウムまたはアルキル−トルエン−、−キシレン−もしくは−フェノールスルホン酸ナトリウム、アルキルナフタレン−スルホン酸ナトリウム、ジアミルナフタレン−スルホン酸アンモニウム、ジノニル−ナフタレン−スルホン酸ナトリウムである。
【００５５】
合成アニオン性界面活性剤を使用する場合、本発明の組成物中に存在する量は一般には少なくとも０．２％、好ましくは少なくとも０．５％、より好ましくは少なくとも１．０％であるが、２０％以下、好ましくは１０％以下、より好ましくは８％以下であろう。
【００５６】
適当な非イオン性界面活性剤は広義には、親水性の性質をもつアルキレンオキシド基と脂肪族またはアルキル芳香族の性質をもつ有機疎水性化合物との縮合によって生成される化合物であると記述できる。特定の疎水性基に結合した親水性またはポリオキシアルキレンラジカルの長さは、親水性要素と疎水性要素との間に所望のバランスを有する水溶性化合物が生じるように容易に調節できる。これによって、正しいＨＬＢをもつ非イオン性界面活性剤の選択が可能になる。
【００５７】
特定例は、８−２２個の炭素原子を有している直鎖形状または分枝鎖形状の脂肪族アルコールとエチレンオキシドとの縮合生成物、例えばココヤシアルコール１モルあたり２−１５モルのエチレンオキシドを有しているココヤシ油エチレンオキシド縮合物；アルキル基に６−１２個の炭素原子を有しているアルキルフェノールとアルキルフェノール１モルあたり５−２５モルのエチレンオキシドとの縮合物；エチレンジアミンとプロピレンオキシドとの反応生成物とエチレンオキシドとの縮合物、この縮合物は４０−８０重量％のエチレンオキシ基を含んでおり５，０００−１１，０００の分子量を有している。
【００５８】
別の例は：長鎖脂肪族アルコールと糖との縮合生成物であるアルキルグリコシド；ＲＲＲＮＯで表される構造を有しており、１つのＲが炭素原子数８−１８のアルキル基を表し、残りのＲの各々が炭素原子数１−３のアルキル基またはヒドロキシアルキル基を表す第三級アミンオキシド、例えばジメチルドデシルアミンオキシド；ＲＲＲＰＯで表される構造を有しており、１つのＲが炭素原子数８−１８のアルキル基を表し、残りのＲの各々が炭素原子数１−３のアルキル基またはヒドロキシアルキル基を表す第三ホスフィンオキシド、例えば、ジメチル−ドデシルホスフィンオキシド；及び、ＲＲＳＯで表される構造を有しており、一方のＲが炭素原子数１０−１８のアルキル基を表し、他方のＲがメチルまたはエチルを表すジアルキルスルホキシド、例えば、メチルテトラデシルスルホキシド；脂肪酸アルキロールアミド；脂肪酸アルキロールアミドとアルキルメルカプタンとのアルキレンオキシド縮合物である。エトキシル化脂肪族アルコールが特に好ましい。
【００５９】
本発明の洗浄組成物中に使用すべき非イオン性界面活性剤の量は好ましくは少なくとも０．１重量％、より好ましくは少なくとも０．２重量％、最も好ましくは少なくとも０．５重量％または１重量％であろう。最大量は適正には１５％、好ましくは１０％、最も好ましくは７％である。
【００６０】
組成物は、電解質の存在レベルを考慮した上で構造化液体洗剤組成物即ち“自己増粘”組成物が得られるように選択された量でアニオン性及び非イオン性の双方の界面活性剤を含有してもよい。こうすれば、有機溶媒の存在にもかかわらず、追加の増粘剤の使用を全く要せずに増粘液体洗浄組成物を製造でき、しかも得られた組成物が広い温度範囲にわたって長期間の保存寿命を有し得る。
【００６１】
アニオン性界面活性剤対非イオン性界面活性剤の重量比は、上記の条件を考慮して変更でき、またそれらの種類に左右されるが、好ましくは１：９−９：１、より好ましくは１：４−４：１の範囲である。本発明の目的を例示する実施態様によれば、組成物は０．１−２重量％の（１種または複数の）酸化防止剤と、１−４重量％の過酸化水素と、８−２２個の炭素原子を有しているアルキルラジカルを分子中に含む０−２０重量％、好ましくは０．２−１０重量％の水溶性合成アニオン性スルフェートまたはスルホネート界面活性剤塩と、０．２−７重量％のエトキシル化非イオン性界面活性剤とを含み得る。このエトキシル化非イオン性界面活性剤は、分子中に８−２２個の炭素原子を有している脂肪族アルコールとエチレンオキシドとの縮合によって得ることができ、縮合物は脂肪族アルコール１モルあたり２−１５モルのエチレンオキシドを有している。組成物の残分はその他の任意成分と水とから成る。
【００６２】
場合によっては使用できる適当な両性界面活性剤は、炭素原子数８−１８のアルキル基とアニオン性水可溶化基によって置換された脂肪族基とを有している脂肪族の第二級及び第三級アミンの誘導体、例えば、３−ドデシルアミノプロピオン酸ナトリウム、３−ドデシルアミノプロパンスルホン酸ナトリウム及びＮ−２−ヒドロキシドデシル−Ｎ−メチルタウリン酸ナトリウムである。
【００６３】
場合によっては使用できる適当なカチオン性界面活性剤は、炭素原子数８−１８の１個または２個の脂肪族基と２個または３個の小さい脂肪族（例えば、メチル）基を有している第四級アンモニウム塩、例えば、セチルトリメチルアンモニウムブロミドである。
【００６４】
場合によっては使用できる適当な双イオン性界面活性剤は、炭素原子数８−１８の脂肪族基とアニオン性水可溶化基で置換された脂肪族基とを有している脂肪族第四級アンモニウム、スルホニウム及びホスホニウム化合物の誘導体、例えば、３−（Ｎ，Ｎ−ジメチル−Ｎ−ヘキサデシルアンモニウム）プロパン−１−スルホネートベタイン、３−（ドデシルメチルスルホニウム）プロパン−１−スルホネートベタイン及び３−（セチルメチルホスホニウム）エタンスルホネートベタインである。
【００６５】
適当な界面活性剤の別の例は、公知の文献“Ｓｕｒｆａｃｅ  Ａｃｔｉｖｅ  Ａｇｅｎｔｓ”Ｖｏｌ．１，Ｓｃｈｗａｒｔｚ  ＆  Ｐｅｒｒｙ，Ｉｎｔｅｒｓｃｉｅｎｃｅ  １９４９，Ｖｏｌ．２，Ｓｃｈｗａｒｔｚ，Ｐｅｒｒｙ  ＆  Ｂｅｒｃｈ，Ｉｎｔｅｒｓｃｉｅｎｃｅ  １９５８，最新版の“ＭｃＣｕｔｃｈｅｏｎ’ｓ  Ｅｍｕｌｓｉｆｉｅｒｓ  ａｎｄ  Ｄｅｔｅｒｇｅｎｔｓ”，Ｍａｎｕｆａｃｔｕｒｉｎｇ  Ｃｏｎｆｅｃｔｉｏｎｅｒｓ  Ｃｏｍｐａｎｙ発行、または、“Ｔｅｎｓｉｄｅ−Ｔａｓｃｈｅｎｂｕｃｈ”，Ｈ．Ｓｔａｃｈｅ，２ｎｄ  Ｅｄｎ．，Ｃａｒｌ  Ｈａｕｓｅｒ  Ｖｅｒｌａｇ，１９８１に与えられた界面活性剤として常用の化合物である。
【００６６】
本発明の組成物はその洗浄性能を補助する他の成分を含有できる。例えば、組成物は、ニトリロトリアセテート、ポリカルボキシレート、シトレート、ジカルボン酸、水溶性ホスフェート（特に、オルト−、ピロ−またはポリ−ホスフェートまたはそれらの混合物）、ゼオライト及びそれらの混合物のような洗浄力ビルダーを２５％までの量で含有できる。ビルダーが存在する場合、ビルダーは好ましくは組成物の少なくとも０．１％を形成するであろう。
【００６７】
エチレンジアミン四酢酸、ポリホスホネート（ＤＥＱＵＥＳＴ［ＴＭ］−シリーズ）及び（オルト、ピロ、ポリ）リン酸／ホスフェート（以後の記載ではまとめて“ホスフェート”と呼ぶ）、多様な種類の多官能有機酸（特に、クエン酸）と塩のような金属イオン封鎖剤も酸化防止剤と適合性であるならば場合によっては使用し得る。このような金属イオン封鎖剤は、タンニン酸、タンニン、没食子酸及び誘導体の場合のような金属と共に有色の錯体を形成し得る酸化防止剤と併用するときに特に有用である。このような金属イオン封鎖剤が存在する場合、その有用な量は組成物の０．０５−５重量％であり、好ましくは０．１−１重量％である。
【００６８】
本発明の組成物の別の任意成分は泡調節材料であり、これは使用中に過度の泡を生じる傾向のある組成物に使用できる。
【００６９】
泡調節材料の一例はセッケンである。セッケンは脂肪酸の塩であり、約８−約２４個の炭素原子、好ましくは約１０−約２０個の炭素原子を含有している脂肪酸のナトリウム塩、カリウム塩及びアンモニウム塩のようなアルカリ金属セッケンである。ココヤシ油及びピーナツ油に由来の脂肪酸の混合物のナトリウム塩、カリウム塩並びにモノ−、ジ−及びトリエタノールアミン塩が特に有用である。セッケンを使用するとき、セッケンの量は、組成物の少なくとも０．００５重量％、好ましくは少なくとも０．１重量％を形成し得る。Ｐｒｉｆａｃ  ７９０１［ＴＭ］のような脂肪酸セッケンがこの目的に適していることが知見された。
【００７０】
泡調節材料の別の例はシリコーン油である。炭化水素助溶媒が十分に高いレベルで存在するときは、炭化水素自体が所望の抑泡活性の一部または全部を提供する。
【００７１】
本発明の組成物はまた、既述の成分に加えて、色素、白色体質顔料、蛍光増白剤、汚れ懸濁化剤、洗浄性酵素、ゲルコントロール剤、凍結−解凍安定剤、防腐剤（例えば、１，２−ベンズイソチアゾリン−３−オン）、及び、ヒドロトロープのような他の種々の任意成分を含有できる。しかしながら本発明の組成物は、皮膚に抗菌作用を与えるために適当な量の抗菌剤（過酸化水素以外）を含有しない。抗菌剤が存在するときは一般に、抗菌剤は組成物の微生物汚染を防止するために必要な量だけで存在する。
【００７２】
本発明の組成物及び硬質表面を洗浄するための組成物の使用は過酸化水素の存在に依存するので、組成物はアルコキシル化脂肪族またはアリール脂肪族カルボン酸を対応する過酸の前駆物質として含有しない。
【００７３】
分注
液体組成物はスプレーアプリケーターのような任意の適当な手段に収納されて分注され得る。ポンプディスペンサー（噴霧ポンプまたは非噴霧ポンプ）及び注出アプリケーター（びん、など）も可能である。組成物はまた、液体組成物を含浸させた布巾によって表面に塗布され得る。
【実施例】
【００７４】
以下の実施例中、異なる記述が特にない限りパーセンテージはすべて重量％である。
【００７５】
実施例１：汎用洗浄組成物
Ｂｉｏｄａｃ  Ｌ６Ｓ５０（非イオン性）          １．２％
ＬＡＳ（アニオン性）                            ３．５％
タンニン酸                                      ０．５０％
過酸化水素                                      ３．０％
リン酸                                          ０．４２％
水酸化ナトリウム                                ０．０４６％
尿素                                            １．０％
香料                                            ０．３５％
Ｄｅｑｕｅｓｔ  ２０４６                        ０．１０％
ココヤシ脂肪酸（Ｐｒｉｆａｃ  ７９０７ＴＭ）      ０．３０％
水                                          １００％まで
【００７６】
対照１
タンニン酸を含有しない以外は実施例１と同じ。
【００７７】
評価
基板の詳細
洗浄試験にはステンレススチール基板を使用した。この基板は寸法３８０ｍｍ×３００ｍｍのつや消しステンレススチール（グレード  ３０４  シート  ＢＳ  １４４９  Ｐｔ２  １９８３、  Ｍｅｒｓｅｙｓｉｄｅ  Ｍｅｔａｌ  Ｓｅｒｖｉｃｅｓ  Ｌｔｄ社から提供）であった。この寸法があるとタイルの左側及び右側に各１つの２つの洗浄領域を設けることができる。各洗浄領域は２１５ｍｍ×１５０ｍｍである。
【００７８】
ステンレスタイルの予備洗浄
洗浄実験に先立ってタイルを以下の手順で予備洗浄した：
・市販の液体研磨洗浄剤（Ｊｉｆクリームクリーナー）、
湿ったＪ−クロスで磨き、湯ですすぐ；
・液体食器洗剤（Ｐｅｒｓｉｌ液体食器洗剤）、
湿ったＪ−クロスで磨き、湯ですすぐ；
・炭酸カルシウム（ｃａｌｃｉｔｅ）、湿ったＪ−クロスで磨き、湯ですすぎ、最後に脱イオン水ですすぐ；
・タイルを水切り乾燥し、紙タオルで拭い、炭酸カルシウム沈着物を完全に除去する。
【００７９】
ステンレススチールタイルに対する前処理塗布
前処理すべきタイルの２つの領域を露出させる厚紙枠をステンレススチールタイルの上に配置した。一方の２１５ｍｍ×１５０ｍｍ領域に、ピペットで採取した１．０ｍｌの被験組成物アリコートのほぼ半量を、前処理領域の１５０ｍｍの上辺に沿って線状に塗布した。１．０ｍｌの被験組成物の残りの量は該領域の１５０ｍｍの下辺に沿って同様に塗布した。塗布した標本を前処理領域全体に容易に塗り拡げられるように厚紙枠を慎重に取り外した。濡らして手で絞ったＪ−ｃｌｏｔｈＴＭ（脱イオン水）を１５０ｍｍのプラスチック定規を囲んで折り畳んだ。これを使用して試験中の組成物の１．０ｍｌのアリコートをスチール表面全体に拡げた。下向きに２回、上向きに２回の４回の直線塗りで標本を指定領域全体に塗り拡げ、各場合に４つの重複する洗浄標本を準備した。前処理塗布が終わった後、タイルを２時間乾燥させてから、脱水したヒマシ油汚れを噴霧した。
【００８０】
前処理したステンレススチールタイルに対する汚れの付着及び熟成
ヒマシ油汚れの噴霧は、異なる実験間で良好な再現性を確保するために通風室で標準条件下に行った。汚れは０．２％脂肪レッド７Ｂ染料を伴う脱水ヒマシ油であった。使用しないときはこれを冷蔵庫に保管した。噴霧前に周囲温度に平衡させた。
【００８１】
通風室の壁／床及び実験用ジャッキを紙タオルで覆った。実験用ジャッキはタイルを実際の噴霧高度に押し上げるために使用した。実験用ジャッキの高さは２００ｍｍであり、通風室の奥の中央に配置した。通風室の後部壁から４０ｍｍ離れた一本の線を実験用ジャッキの頂部の上に記入した。これを噴霧前の各ステンレススチールタイルの位置決め線として使用した。実験用ジャッキの上の４０ｍｍ線から２７０ｍｍの平行な線を通風室の床面に記入した。噴霧のときにはＰｅｒｓｐｅｘスプレーガイドをこの場所に位置合わせした。
【００８２】
市販の重力充填スプレーガンを使用して油性汚れをスチールタイルに噴霧した。重力充填ガンのリアダイヤルを閉位置から逆時計回りに３６０度回転させ、サイドダイヤルをやはり閉位置から逆時計回りに２７０度回転させた。重力充填スプレーガンを床置きエアコンプレッサ装置につなぎ、２５ｐ．ｓ．ｉ．の圧力を使用してこの汚れをスチールタイルに噴霧した。使用していないときのスプレーガンを保持するために通風室にクランプ台を配置した。脱水したヒマシ油汚れをスプレーガンのオープンボウルに注入した。
【００８３】
厚紙スプレー枠をステンレススチールタイルにクリップで留め、通風室の後部壁から４０ｍｍの線に沿って実験用ジャッキの中央のよく見える場所に配置した。厚紙スプレー枠はステンレススチールタイルと同じ寸法の長方形カード片であり、２１５ｍｍ×１５０ｍｍの２つの切り抜き領域があり、一方の窓は左側、他方の窓は右側にあり、２つの窓の間にカード分離帯がある。噴霧されるタイルの第一窓の前方の２７０ｍｍ線上にＰｅｒｓｐｅｘスプレーガイドを直接的に位置決めした。頂部から開始し、スプレーガイドの線に従ってタイルのこの領域に合計３５秒間の噴霧を行った。頂部から底部までの噴霧に要した時間は約９秒間であり、従って、２１５ｍｍ×１５０ｍｍの被噴霧領域の各々にスプレーガイドの軌跡が４回描かれる。タイルの第一領域の噴霧後、Ｐｅｒｓｐｅｘスプレーガイドを第二領域の前方に位置合わせし隣接領域を全く同様に噴霧した。タイル全体に２回の噴霧を行った後、タイルを通風室から取り出して、厚紙スプレー枠を慎重に取り外した。噴霧されたタイルをオーブンシェルフに直接積み重ねた。ステンレススチールタイルの各々を隔てるために、該タイルの各隅に配置したアルミニウム製リングスペーサーを使用した。これらのスペーサーは各タイルを１０ｍｍずつ離間させた。全部のタイルの噴霧が終わると、これらをまとめてオーブンに入れて熟成させた。
【００８４】
タイルを８５℃で１．５時間熟成させた。準備したタイルは翌日まで洗浄しなかった。
【００８５】
セルローススポンジクロスを使用して試験表面から汚れを除去するために要した力を、Ｎｓで表される力を測定することを特定目的として製造された装置で測定した。汚れを除去するために使用した洗浄組成物は対照２の組成物であった。従って、洗浄に要した力の減少は、前処理組成物中の酸化防止剤だけに起因すると判断できる。
【００８６】
実施例１及び対照１（実施例１からタンニン酸を除去した組成物に対応）に関する結果を表Ｉに示す。表に示した結果は４つの重複実験の幾何平均である。
【００８７】
【表１】
2005519151.tif 000002
【手続補正書】
【提出日】平成15年9月11日(2003.9.11)
【手続補正１】
【補正対象書類名】特許請求の範囲
【補正対象項目名】全文
【補正方法】変更
【補正の内容】
【特許請求の範囲】
【請求項１】
（ａ）０．１−１０重量％の過酸化水素と、１，２−ジヒドロキシベンゼンまたは１，４−ジヒドロキシベンゼンの下部構造を含む０．０５−１０重量％の天然ラジカル捕捉用酸化防止剤とを含む液体洗浄組成物で硬質表面を処理する段階と、
（ｂ）脂肪質汚れの付着を放置する段階と、
（ｃ）脂肪質汚れを除去するために表面を洗浄する段階と、
を順次に含む硬質表面から脂肪質汚れを除去する方法。
【請求項２】
前記ラジカル捕捉用酸化防止剤と過酸化水素とを含む液体洗浄組成物を段階（ｃ）においても使用する請求項１に記載の方法。
【請求項３】
ラジカル捕捉用酸化防止剤が１，２−ジヒドロキシベンゼン下部構造を有している請求項１または２に記載の方法。
【請求項４】
ラジカル捕捉用酸化防止剤が３，４，５−トリヒドロキシベンゾイル下部構造を有している請求項３に記載の方法。
【請求項５】
ラジカル捕捉用酸化防止剤がタンニン酸である請求項４に記載の方法。
【請求項６】
ラジカル捕捉用酸化防止剤が１，４−ジヒドロキシベンゼン下部構造を有している請求項１または２に記載の方法。
【請求項７】
ラジカル捕捉用酸化防止剤がδ−トコフェロールである請求項６に記載の方法。
【請求項８】
液体洗浄組成物がｐＨ７またはそれ以下を有している請求項１から７のいずれか一項に記載の方法。
【請求項９】
液体洗浄組成物が０．１−１重量％の酸化防止剤を含む請求項１から８のいずれか一項に記載の方法。
【請求項１０】
洗浄組成物が界面活性剤を含む請求項１から９のいずれか一項に記載の方法。
【請求項１１】
段階ａの後で表面をすすがない請求項１から１０のいずれか一項に記載の方法。
【請求項１２】
０．１−１０重量％の過酸化水素と、１，２−ジヒドロキシベンゼンまたは１，４−ジヒドロキシベンゼンの下部構造を含む０．０５−１０重量％の天然ラジカル捕捉用酸化防止剤とを含み、皮膚に抗菌作用を与えるために適当な量の（過酸化水素以外の）殺菌剤を含まない貯蔵安定な液体洗浄組成物。
【請求項１３】
更に、０．０５−４５重量％の界面活性剤を含む請求項１２に記載の液体洗浄組成物。
【請求項１４】
酸化防止剤の量が０．１−１．０重量％である請求項１２または１３に記載の液体洗浄組成物。
【請求項１５】
ラジカル捕捉用酸化防止剤が１，２−ジヒドロキシベンゼン下部構造を有している請求項１２から１４のいずれか一項に記載の液体洗浄組成物。
【請求項１６】
ラジカル捕捉用酸化防止剤が３，４，５−トリヒドロキシベンゾイル下部構造を有している請求項１５に記載の液体洗浄組成物。
【請求項１７】
ラジカル捕捉用酸化防止剤がタンニン酸である請求項１６に記載の液体洗浄組成物。
【請求項１８】
ラジカル捕捉用酸化防止剤が１，４−ジヒドロキシベンゼン下部構造を有している請求項１２から１４のいずれか一項に記載の液体洗浄組成物。
【請求項１９】
ラジカル捕捉用酸化防止剤がδ−トコフェロールである請求項１８に記載の液体洗浄組成物。
【請求項２０】
ｐＨが７またはそれ以下である請求項１２から１９のいずれか一項に記載の液体洗浄組成物。
【請求項２１】
液体洗浄組成物で処理後に表面に付着していた脂肪質汚れが硬質表面から除去されるのを促進するための液体洗浄組成物中の天然ラジカル捕捉用酸化防止剤と過酸化水素との使用。
【請求項２２】
洗浄組成物中に酸化防止剤が０．０５−１０重量％の量で存在し、過酸化水素が０．１−１０重量％の量で存在する請求項２１に記載の使用。
【請求項２３】
酸化防止剤が１，２−ジヒドロキシベンゼン下部構造を有している請求項２１または２２に記載の使用。
【請求項２４】
酸化防止剤が３，４，５−トリヒドロキシベンゾイル下部構造を有している請求項２３に記載の使用。
【請求項２５】
酸化防止剤がタンニン酸である請求項２４に記載の使用。
【請求項２６】
酸化防止剤が１，４−ジヒドロキシベンゼン下部構造を有している請求項２１または２２に記載の使用。
【請求項２７】
酸化防止剤がδ−トコフェロールである請求項２６に記載の使用。
【請求項２８】
液体洗浄組成物がｐＨ７またはそれ以下である請求項２１から２７のいずれか一項に記載の使用。
【国際調査報告】
2005519151.tif 000003
2005519151.tif 000004
2005519151.tif 000005